(57)【要約】【課題】開き戸式防火扉を引き戸式防火戸にシステム変更する方法を提供する【解決手段】  あらかじめ開き戸式防火扉として設けられた防火扉開口部とこの開口部隣接位置の壁面とに、防火引き戸が閉じることにより遮煙防火機能を有するようにあらかじめ構成された引き戸式防火戸ユニットを設け、この引き戸式防火戸ユニットと開口部を含む隣接壁との接触周縁部を密閉することによって新たな遮煙防火引き戸機能を構成させ、この引き戸式防火戸ユニットに自閉手段、閉鎖時調速手段、常開手段緊急時閉塞手段を付属させたことを特徴とする防火戸開閉システムの変更方法【選択図】図２
2006167401.tif 000002
【特許請求の範囲】
【請求項１】
あらかじめ開き戸式防火扉として設けられた防火扉の取付位置または防火扉開口部を含む隣接位置に引き戸が閉じることにより防火機能を有するようにあらかじめ構成された引き戸式防火戸ユニットを設け、この引き戸式防火戸ユニットと隣接壁との接触周縁部を密閉することによって新たな防火引き戸機能を構成させることを特徴とする防火戸開閉システムの変更方法
【請求項２】
あらかじめ開き戸式防火扉として設けられた防火扉の取付位置または防火扉開口部を含む隣接位置に引き戸が閉じることにより遮煙機能をも有するようにあらかじめ構成された引き戸式防火戸ユニットを設け、この引き戸式防火戸ユニットと隣接壁との接触周縁部を密閉することによって新たな遮煙防火引き戸機能を構成させることを特徴とする防火戸開閉システムの変更方法
【請求項３】
引き戸式防火戸ユニットがその場で容易に分解組立が可能であることを特徴とする請求項１または請求項２記載の防火戸開閉システムの変更方法
【請求項４】
引き戸式防火戸ユニットの防火戸が自閉手段を有することを特徴とする請求項１乃至請求項３記載の防火戸開閉システムの変更方法
【請求項５】
引き戸式防火戸ユニットの防火戸が閉鎖時の速度調整手段を有することを特徴とする請求項１乃至請求項４記載の防火戸開閉システムの変更方法
【発明の詳細な説明】
【技術分野】
【０００１】    本発明は通路の開口部に設けられた開き戸式防火戸または旧式の引き戸式防火戸部に新たな引き戸式防火戸ユニットを設けて新機能を有する引き戸式防火戸に変更する方法に関するものである。
【背景技術】
【０００２】    従来からエレベータ前や階段室などには火災時に煙や火災が建物全体に広がらないよう安全性の確保のため防火戸の設置が義務付けられおり、特に雑居ビルの階段室などのほとんどは開口部の大きさや踊り場スペースなどの関係から開き戸式の防火扉が設けられている。そしてこの開き戸式防火扉は設置スペースが小さいという特徴を有している。
【発明の開示】
【発明が解決しようとする課題】
【０００３】    しかしながら開き戸式防火扉というのは常開式防火扉の場合通常は反対壁側に全開状態でロック停止されており、非常時の場合のみロック解除機構が働いて全閉状態となるのものであり、非常時などめったに生じないという油断のため、つい防火扉の前や扉の可動範囲内に物を置いたり、常閉式防火扉の場合は防火扉であることを失念して扉が紐などにより固定されていたりするということがある。これらはあきらかに人災であり、平成１３年９月に発生した新宿区歌舞伎町のビル火災はその典型的なものであった。【０００４】    また開き戸式防火扉は、非常時において空調設備の気流などにより防火扉面に風圧力が発生して閉鎖力が小さい場合には風圧により扉が完全に閉まらなくて煙が入り込んでくるという不具合があり、逆方向の風圧力の場合は避難する際に重くて扉が開かないという不具合があった。また避難者はどちらの方向から避難してくるのかわからず、防火扉の開かれる側にいた人が突然の扉の開放により衝突して怪我をするという不具合なども発生した。
【課題を解決するための手段】
【０００５】  そこで本発明者は分解組立が容易な引き戸式防火戸ユニットを製作することによって開き戸式防火戸を容易に引き戸式防火戸に変更させる方法を発明して掛かる不都合を解決した。すなわち本発明は一つにはあらかじめ開き戸式防火扉として設けられた防火扉の取付位置または防火扉開口部を含む隣接位置に、引き戸が閉じることにより防火機能を有するようにあらかじめ構成された引き戸式防火戸ユニットを設け、この引き戸式防火戸ユニットと隣接壁との接触周縁部を密閉することによって新たな防火引き戸機能を構成させることを特徴とする防火戸開閉システムの変更方法であり、また一つにはあらかじめ引き戸式防火戸として設けられた旧来の防火戸の取付位置またはその開口部を含む隣接位置に引き戸が閉じることにより遮煙機能をも有するようにあらかじめ構成された引き戸式防火戸ユニットを設け、この引き戸式防火戸ユニットと隣接壁との接触周縁部を密閉することによって新たな遮煙防火引き戸機能を構成させ、これに更に自閉手段、閉鎖時調速手段、常開手段緊急時閉塞手段を有することを特徴とする防火戸システムの変更方法である。【０００６】  この変更方法は従来取付されていたもので引き戸式防火戸ユニットを設置する上において支承をきたす部品はすべて除くことを前提としているが、支承を来たさないものについての取除きは適宜判断すれば良い。また、上記の防火扉の取付位置とは開き戸式の防火扉が設けられていた位置と同一平面ということを意味し、防火扉設置部の壁面を壊してまで引き戸式防火戸ユニットを設置する方法であり、防火扉開口部を含む隣接位置とは開口部とこの開口部に隣接する側の表面または裏面のいずれか一方の面とに接触する位置に引き戸式防火戸ユニットを設置する方法のことである。【０００７】  またこれらの引き戸式防火戸ユニットはその場で分解組立が可能でかつ容易であり、しかもあらかじめ自閉手段が設けられており、自閉速度調速手段が設けられてなる。この引き戸式防火戸ユニットの分解組立が可能でかつ容易であるのはこの引き戸式防火戸ユニットが更にいくつかの小ユニットに分割化されているものの集合体であり、部品を一つづつ組み立ててゆく必要がないことに特徴がある。【０００８】  自閉手段は渦巻きバネなどを利用してワイヤロープを用いて引張っても良いし、またバネダンパを用いても良いし、レール自身を閉鎖方向に傾斜させても良く、その他の方法を用いても構わない。自閉速度調速手段も同様であり、どのような方法が用いられても良いが自閉手段を用いること、調速手段を用いることは必要条件である。また引き戸式防火戸ユニット内部はあらかじめ遮煙機能が備えられて成るため引き戸式防火戸ユニットと壁面とが接するうちの周縁部にあらかじめシール材を設けて設置時にそのまま取付しても良いし、設置後周縁部にシール性を有する塗料によりシールしてもよく、要は設置壁面から非常時に煙が漏れないように設置することである。
【発明の効果】
【０００９】  本発明の防火戸開閉システムの変更方法は引き戸式防火戸ユニット自身がその場で分解組立が可能な構成要素を持っているためいくら大きいものであっても分解しての搬送が可能であり、現場で容易に組み立てられユニット化されているため取付容易で開口部を直ちに閉塞して防火区画が出来る。また、階段室などの狭い部分であってもその反対側面に取り付け可能なため既製の開き戸式防火扉も容易に引戸式防火戸に変更出来る。また引き戸式防火戸ユニットとして構成されているため防火戸自身を常開式や常閉式のものにしたり、閉鎖スピードを自在にコントロールする装置が開口部周辺の環境に左右されることなくユニット内で設けることが出来るなどの迅速な対応が可能である。また引き戸であるため単なる直線移動でありそのため開き戸に比較して可動範囲が縮小されて廊下や避難室の避難路を広く使用できるし、防火戸先端部とその先端部を収容する縦枠とは凹凸嵌合されるため空調設備の気流などによる風圧差が生じても戸が開くことがないため煙の侵入弊害を解消することが出来るし風圧に影響されることなく戸を開くことが出来る。
【発明を実施するための最良の形態】
【００１０】  以下本発明の実施例を図に基づいて説明すると図１は階段室に取付されていた従来の開き戸式防火扉の取付状況を示す斜視図であり、図２は実施例の取付後の設置状況を示す正面図で階段室の反対側の壁面に引き戸式防火戸ユニットを設けて隙間を塞ぎ引き戸式防火戸に変更した図であり、図３は図２の主要部拡大図、図４は図２におけるＢ−Ｂ方向から眺めた実施例防火戸ユニットの前カバーを閉じた場合の縦断面図であり、図５は図３におけるＣ−Ｃ方向から眺めた場合の上枠ユニットで前カバーを閉じた際の縦断面図であり、図６は図２におけるＡ−Ａ方向から眺めた引き戸を除く実施例の構成を示す横断面図である。【００１１】  従来から階段室などには図１に示すように開き戸式の防火扉が設けられているがこの開閉扉を引き戸式に変更した実施例が図２に示したものである。まず、引き戸式防火戸ユニット１の全体の構成から説明すると、これは従来壁面２の戸袋３に埋め込み式にて待機されていた開き戸式防火扉３２の開口部３３側壁面４ａの裏面側の防火扉開口部３３を含む壁面４ｂに引き戸式防火戸ユニット１を設置したものである。【００１２】  この引き戸式防火戸ユニット１は分解組立容易とするため複数個の小ユニットに分けられて構成されている。それらは戸尻側縦枠５ａ、戸先側縦枠５ｂ、上枠ユニット７、前側方立８ａ、後側方立８ｂ、戸袋カバー１０、引き戸１１などの小ユニットであり、その他吊車ユニット１２、ガイドローラユニット１３があり、更に押圧手段、調速手段、引き戸引張手段、常開手段などの各種装置が完成体としてユニット化されたりあるいは各種部品として備えられてなる。【００１３】  押圧手段は、引き戸上部側は上枠ユニット７内のレール１４に取付されたブラケット１５、１６に取付された押圧ローラ（図示せず）とこの押圧ローラにクサビ状に接触するように加工された押圧用変位具１７ａとにより構成されてなり、押圧用変位具１７ａは各吊車ユニット１２に取付される。また、引き戸下部側はガイドローラユニット１３のガイドローラ１８と押圧用変位具１７ｂとにより全閉のすぐ手前位置より開口部３３側に向かって引き戸１１全体が押圧されるように構成されたものである。【００１４】  調速手段と引き戸引張手段とはワイヤロープ１９と渦巻きバネ（図示せず）とを連携させ、更に戻り時の巻き戻し回転を遠心ガバナ（図示せず）と連携組合わせして一体化させ引張調速装置２０として構成されたものであり、上枠ユニット７内のＬ型ブラケット３１、３１に取付される。【００１５】  常閉手段は引き戸１１の上面に設けられたパイプ付ブラケット２１と引張調速装置２０から引き出されたワイヤロープ１９先端に設けられた先金２２とを連結固定した構成であり、常開手段は引張調速装置２０の取付面と同一平面上でワイヤロープ引き出し口に相対する位置にあって引き戸全開時に先金２２先端部を把持ロックするロック装置２３を設けて構成されるものである。このロック装置２３は手動式でも煙感知器や火災報知器などと連動させた自動式でも両者とも解除可能に構成されるものである。【００１６】  まず、引き戸式防火戸ユニット１の設計設定を説明すると、従来取付されている防火扉開口部面積と使用する引き戸１１の���きさとから引き戸式防火戸ユニット１内のレール１４の長さが決定され、それに伴って上枠ユニット７の横幅や戸尻側縦枠５ａ、戸先側縦枠５ｂ、前側方立８ａ、後側方立８ｂ、戸袋カバー１０などの小ユニットの関係寸法がすべて決定されることになる。【００１７】  次に引き戸式防火戸ユニット１の製作組立手順について説明するとレール１４の寸法が決定されると鉄板や山型鋼を溶接などにより加工された裏板ユニット２４が製作され、この裏板ユニット２４にレール１４やあらかじめ遮煙ゴム２５ａが取付可能になるように取付溝が設けられた後側上枠２６ｂや上面カバー２７、蝶番付の前面カバー２８、両側面カバー２９が取付されて前側上枠２６ａを除く上枠ユニット７が出来上がる。図５が上枠ユニット７を示した断面図である。この上枠ユニット７に戸尻側縦枠５ａ、あらかじめ遮煙ゴム２５ａが取付可能になるように取付溝が設けられた戸先側縦枠５ｂ、更にあらかじめ遮煙ゴム２５ａが取付可能になるように取付溝が設けられた後側方立８ｂを取付することにより、枠全体の姿が出来上がる。【００１８】  次に防火引き戸１１上面に吊車ユニット１２を取付し、引き戸１１裏面側下部に遮煙ゴム２５ｂを取付し、下部溝３０内に押圧用変位具１７ｂを取付した後、引き戸１１の吊車ユニット１２をレール１４上に載置して引き戸１１を吊り下げ、吊り下げ後、前側上枠２６ａ、前側方立８ａを取付け、ガイドローラユニット１３を引き戸１１の下部溝３０内へ案内すると共に前側方立８ａの下部裏側にガイドローラユニット１３のブラケットをネジ固定する。【００１９】  この状熊で引き戸１１が正常に動くか確認できる。次に図２のように前面カバー２８を開いた状態にして引き戸１１を全閉位置付近へ移動して吊車ユニット１２、１２のそれぞれに押圧用変位具１７ａ、１７ａを取付け、一方レール１４にあらかじめ仮設され押圧ローラが取付されたブラケット１５、１６の取付位置を調整後固定し、全閉時に引き戸１１が開口部側に押圧されるように取付調整する。【００２０】  次に引き戸上面にパイプ付ブラケット２１を取付け、上枠ユニット７にあらかじめ取付されたＬ型ブラケット３１、３１に引張調速装置２０を取付け、引張調速装置２０よりワイヤロープ１９を引き出してパイプ付ブラケット２１のパイプを貫通させた後、先金２２をネジ固定し、更に先金後部と上記パイプとを連結し、戸袋カバー１０を取付することにより常閉式の引き戸式防火戸ユニット１が出来上がる。常開式引き戸式防火戸ユニット１にするためには図３に示すように引張調速装置２０の反対側に先金２２先端をロックするためのロック装置２３を設けて先金２２をロックさせれば良い。このロック装置２３は手動式でも作動可能であり、また火災報知器や煙感知器などと連動するように構成されている。【００２１】  これらの引き戸式防火戸ユニット１の組立は工場内において組立可能であり、搬入する前に不具合の点検も可能である。ビルにおいても入口の搬入が可能であれば引き戸式防火戸ユニット１のまま搬入しても良いし、不可であれば分解しての搬入が可能である。【００２２】  図４は開口部３３を含む壁面４ｂに防火戸ユニット１を設置した際の縦断面図であり、設置する際に引き戸式防火戸���ニット１と壁面４ｂとの間にシール材３４をはさんで隙間を埋めたものであり開口部周縁部は確実にシールされて成る。図７は実施例において設置させた際のシール材３４の取付状況を示したものである。図４と図７とから壁面４ｂと引き戸式防火戸ユニット１との隙間は確実にシールされていることがわかる。【００２３】  引き戸式防火戸ユニット１の引き戸を除く横断面の構成を図６に示す。戸尻側縦枠５、戸先側縦枠６の断面はそれぞれ裏板が取り外せる構造になって、戸先側縦枠６は戸先接触面が凹面構造になった上あらかじめ遮煙ゴム２５ａが取付可能になるように取付溝が設けられており、壁面への取付時は裏板をはずして側面をネジ固定した後、塞ぐことになる。このようにしてすべてのユニットが容易に壁面固定可能に構成されてなる。【００２４】  次に引き戸式防火戸ユニット１の動作について説明すると図２、図３において取っ手部３５に手をかけて引き戸１１を開くと引き戸上面のパイプ付ブラケット２１に連結された先金２２が開方向に引張られ、それに伴って引張調速装置２０からワイヤロープ１９が引き出されてくる。常開式防火戸の場合は先金２２の進行方向前方にロック装置２３が設けられていて引き戸１１が全開に達した時先金２２の先端がロック装置にロックされる。ロック装置は手動式の場合紐３６を引っ張ればロックが解除され、自動の場合は報知器等の警報感知からロックが解除される。常閉式防火戸の場合は常開式ロック解除状況と同じ動作が行なわれる。即ち、開放が解除されると引き戸は引張調速装置２０内の渦巻きバネ（図示せず）によりワイヤロープ１９により引張調速装置２０内に巻き込まれてゆき、巻き取りドラム（図示せず）の巻き戻り回転に連動して遠心ガバナ（図示せず）が作動して引き戸１１は加速されることなく調速されて次第に閉鎖方向へと移動する。全閉手前位置で引き戸上部は押圧ローラ（図示せず）と押圧変位具１７ａとにより、引き戸下部は下部溝３０内のガイドローラ１８と押圧変位具１７ａとにより引き戸１１が開口部３３側へ押圧され、戸先側縦枠５ｂ、後側上枠２６ｂ、後側方立８ｂに設けられた遮煙ゴム２５ａと引き戸後側下部に設けられた遮煙ゴム２５ｂとにより開口部３３の周縁が押圧されて遮煙機能が働くことになる。【００２５】  これらはすべて引き戸式防火戸ユニット１内に設けられたものでの動作であるため設置場所の環境に左右されることなく、開口部を含む壁面４ｂが確保さえ出来れば容易に開き扉式防火戸が引き戸式防火戸に容易に開閉システム変更することが可能である。
【図面の簡単な説明】
【００２６】
【図１】従来開き扉の取付状況を示す斜視面図
【図２】実施例の取付を示す正面図
【図３】図２の主要部拡大図
【図４】Ｂ−Ｂ方向から眺めた実施例で前カバーを閉じた際の縦断面図
【図５】Ｃ−Ｃ方向から眺めた上枠ユニットで前カバーを閉じた際の縦断面図
【図６】Ａ−Ａ方向から眺めた引き戸を除く実施例の構成を示す横断面図
【図７】シール材取付状況説明図
【符号の説明】
【００２７】  １  引き戸式防火戸ユニット
２  壁面
３  戸袋
４ａ  壁面
４ｂ  壁面
５ａ  戸尻側縦枠
５ｂ  戸先側縦枠
７  上枠ユニット
８ａ  前側方立
８ｂ  後側方立
１０  戸袋カバー
１１  引き戸
１２  吊車ユニット
１３  ガイドローラユニット
１４  レール
１５、１６  ブラケット
１７ａ  押圧変位具
１７ｂ  押圧変位具
１８  ガイドローラ
１９  ワイヤロープ
２０  引張調速装置
２１  パイプ付ブラケット
２２  先金
２３  ロック装置
２４  裏板ユニット
２５ａ  遮煙ゴム
２５ｂ  遮煙ゴム
２６ａ  前側上枠
２６ｂ  後側上枠
２７  上面カバー
２８  前面カバー
２９  側面カバー
３０  下部溝
３１  Ｌ型ブラケット
３２  防火扉
３３  開口部
３４  シール材
３５  取っ手部
３６  紐
【図１】
2006167401.tif 000003
【図２】
2006167401.tif 000004
【図３】
2006167401.tif 000005
【図５】
2006167401.tif 000006
【図４】
2006167401.tif 000007
【図６】
2006167401.tif 000008
【図７】
2006167401.tif 000009